(57)【要約】【課題】ランニングコストや製品単価の上昇を生じず、透光板上に現われる表示が自然な色調となる液晶表示装置を提供する。また、この液晶表示装置を備えた加熱調理器を提供する。【解決手段】本発明の液晶表示装置は、光を透過可能な透光板２１と、液晶パネル２３と、バックライトユニット２９とを備えている。バックライトユニット２９は、液晶パネル２３の背面に設けられ、可視波長域の光を照射可能な第１光源２９ｃを有し、第１光源２９ｃの点灯によって液晶パネル２３の表示を透光板２１上に現す。透光板２１は、第１光源２９ｃの消灯時に表示を隠蔽可能な色彩に着色されている。バックライトユニット２９は、可視波長域内に含まれ、第１光源２０ｃの点灯時に色彩によって吸収される特定波長の光からなる特定光が特定光以外の光よりも強く照射されるようになっている。【選択図】図３
2020148975.tif 000002
【特許請求の範囲】
【請求項１】
光を透過可能な透光板と、前記透光板の背面に設けられた液晶パネルと、前記液晶パネルの背面に設けられ、可視波長域の光を照射可能な光源を有し、前記光源の点灯によって前記液晶パネルの表示を前記透光板上に現すバックライトユニットとを備えた液晶表示装置において、
前記透光板は、前記光源の消灯時に前記表示を隠蔽可能な色彩に着色され、
前記バックライトユニットは、前記可視波長域内に含まれ、前記光源の点灯時に前記色彩によって吸収される特定波長の光からなる特定光が前記特定光以外の光よりも強く照射されるようになっていることを特徴とする液晶表示装置。
【請求項２】
前記光源は、前記可視波長域の光を照射可能な第１光源と、前記特定光を照射可能な第２光源とを有する請求項１記載の液晶表示装置。
【請求項３】
前記透光板は、無色透明なクリア板と、前記色彩に着色された着色層とからなる請求項１又は２記載の液晶表示装置。
【請求項４】
請求項１乃至３のいずれか１項記載の液晶表示装置を備え、前記透光板がトッププレートを含む加熱調理器。
【発明の詳細な説明】
【技術分野】
【０００１】
本発明は液晶表示装置及びこれを備えた加熱調理器に関する。
【背景技術】
【０００２】
特許文献１に従来の加熱調理器が開示されている。この加熱調理器は、本体ケースの上方にトッププレートが設けられ、トッププレートの上面に３個のコンロバーナが設けられている。また、本体ケースにはグリル庫が設けられ、グリル庫内にはグリルバーナが組み込まれている。トッププレートの中央前寄りの位置には液晶表示装置が一体的に設けられている。
【０００３】
この液晶表示装置は、透光板と、液晶パネルと、バックライトユニットとを備えている。透光板は光を透過可能である。上記加熱調理器では、透光板は、無機ガラス製のトッププレートの一部であり、無色透明である。液晶パネルは、トッププレートの背面に設けられ、加熱調理器の動作情報や、設定入力スイッチにより設定された加熱条件を表示する。バックライトユニットは、液晶パネルの背面に設けられ、光源が点灯されて可視波長域の光を照射することにより、液晶パネルの表示をトッププレート上に現す。
【先行技術文献】
【特許文献】
【０００４】
【特許文献１】特開２０１７−１２９２９６号公報
【発明の概要】
【発明が解決しようとする課題】
【０００５】
しかし、上記従来の液晶表示装置では、透光板が無色透明であるため、バックライトユニットの光源の消灯時にも液晶パネルの表示を目視することが可能である。このため、このような液晶表示装置を備えた加熱調理器等では、操作者が主電源のＯＮ時とＯＦＦ時とを勘違いするおそれがある。また、このような液晶表示装置を備えた機器において、バックライトユニットの光源の消灯時に液晶パネルの存在感をできるだけ無くしたいという要望もある。
【０００６】
このため、光源の消灯時に液晶パネルの表示を隠蔽できるように、透光板に着色することが考えられる。この場合、操作者は、液晶パネルの表示が透光板上に現われていなければ、主電源がＯＦＦとされていることを確認でき、液晶パネルの表示が透光板上に現われておれば、主電源がＯＮとされていることを確認できる。また、バックライトユニットの光源の消灯時に液晶パネルの存在感をできるだけ無くすことができる。
【０００７】
しかしながら、一般的なバックライトユニットは、光源が可視波長域の光を照射するだけであるため、透光板の色彩によって特定波長の光からなる特定光が吸収され、透光板上に現われる表示が不自然な色調となってしまう。
【０００８】
かといって、透光板にさらに光学フィルタを設けることにより不自然な色調を補正することも考えられるが、こうすると光源の光が透光板上まで届き難くなり、表示が暗くなってしまう。このために光源の輝度を上げようとすれば、消費電力が大きくなり、ランニングコストが上がってしまう。また、発熱対策が必要になり、製品単価も上がってしまう。
【０００９】
本発明は、上記従来の実情に鑑みてなされたものであって、ランニングコストや製品単価の上昇を生じず、透光板上に現われる表示が自然な色調となる液晶表示装置を提供することを解決すべき課題としている。また、この液晶表示装置を備えた加熱調理器を提供することも解決すべき課題としている。
【課題を解決するための手段】
【００１０】
本発明の液晶表示装置は、光を透過可能な透光板と、前記透光板の背面に設けられた液晶パネルと、前記液晶パネルの背面に設けられ、可視波長域の光を照射可能な光源を有し、前記光源の点灯によって前記液晶パネルの表示を前記透光板上に現すバックライトユニットとを備えた液晶表示装置において、
前記透光板は、前記光源の消灯時に前記表示を隠蔽可能な色彩に着色され、
前記バックライトユニットは、前記可視波長域内に含まれ、前記光源の点灯時に前記色彩によって吸収される特定波長の光からなる特定光が前記特定光以外の光よりも強く照射されるようになっていることを特徴とする。
【００１１】
本発明の液晶表示装置では、透光板が色彩に着色され、可視波長域の光を照射可能な光源の消灯時に液晶パネルの表示を隠蔽できる。このため、操作者は、液晶パネルの表示が透光板上に現われていなければ、主電源がＯＦＦとされていることを確認でき、液晶パネルの表示が透光板上に現われておれば、主電源がＯＮとされていることを確認できる。また、バックライトユニットの光源が消灯している間は液晶パネルの存在感をできるだけ無くすことができる。
【００１２】
また、この液晶表示装置では、バックライトユニットが特定光を特定光以外の光よりも強く照射する。このため、透光板の色彩によって特定波長の光からなる特定光が吸収されても、その特定光が補われ、透光板上に現われる表示が自然な色調となる。
【００１３】
しかも、この液晶表示装置では、透光板に光学フィルタを設けるようなことはしないため、表示が暗くなることもない。そのため、消費電力を大きく上げたり、発熱対策を行なう必要がない。
【００１４】
したがって、本発明の液晶表示装置では、ランニングコストや製品単価の上昇を生じず、透光板上に現われる表示が自然な色調となる。
【００１５】
光源は、可視波長域の光を照射可能な第１光源と、特定光を照射可能な第２光源とを有することが好ましい。この場合、容易に特定光を特定光以外の光よりも強く照射することが可能になる。
【００１６】
透光板は、無色透明なクリア板と、色彩に着色された着色層とからなることが好ましい。この場合、透光板に容易に色彩を着色することができる。また、液晶表示装置において、透光板における液晶パネルの表面だけを他の部分と異なる色彩とすることにより、液晶パネルの表示を目立たせることができる。例えば、この液晶表示装置を加熱調理器に採用した場合、トッププレートにおける液晶パネルの表面だけに着色層を設け、他の部分と異なる色彩とすることにより、加熱調理器において、液晶パネルの表示を目立たせることができる。
【００１７】
本発明は、上記液晶表示装置を備え、透光板がトッププレートを含む加熱調理器としても成立する。
【発明の効果】
【００１８】
本発明の液晶表示装置では、ランニングコストや製品単価の上昇を生じず、透光板上に現われる表示が自然な色調となる。また、本発明の加熱調理器では、液晶表示装置の作用効果を加熱調理器で実現し、バックライトユニットの光源が消灯している時にトッププレートの一体感を演出して美感を向上することができる。
【図面の簡単な説明】
【００１９】
【図１】図１は、実施例１の加熱調理器具の斜視図である。
【図２】図２は、実施例１の加熱調理器具における液晶表示装置の模式断面図である。
【図３】図３は、実施例１の液晶表示装置のバックライトユニットの断面図である。
【図４】図４は、実施例１の液晶表示装置における波長と分光放射輝度との関係を示すグラフである。
【図５】図５は、比較例の液晶表示装置における波長と分光放射輝度との関係を示すグラフである。
【図６】図６は、実施例２の加熱調理器具における液晶表示装置の模式断面図である。
【発明を実施するための形態】
【００２０】
以下、本発明を具体化した実施例１、２を図面を参照しつつ説明する。
【００２１】
（実施例１）
実施例１の液晶表示装置は、図１に示すように、加熱調理器１に設けられている。この加熱調理器１は、本体ケース３の上方にトッププレート５が設けられている。トッププレート５は無色透明な無機ガラス製である。トッププレート５の上面に３個のコンロバーナ７ａ〜７ｃが設けられている。また、本体ケース３にはグリル庫９が設けられ、グリル庫９内には図示しないグリルバーナが組み込まれている。トッププレート５の中央前寄りの位置に液晶表示装置１１が一体的に設けられている。
【００２２】
この液晶表示装置１１は、図２に示すように、本体ケース３の支持壁３ａに支持されている。液晶表示装置１１は、透光板２１と、液晶パネル２３と、集光シート２５と、拡散シート２７と、バックライトユニット２９と、反射シート３１とからなる。なお、図２においては、透光板２１と液晶パネル２３との間に設けられるシール材や遮熱板を省略している。また、支持壁３ａは、加熱調理器１の送風装置を構成している。
【００２３】
透光板２１は、トッププレート５とフィルム２１ａとからなり、光を透過可能である。トッププレート５は加熱調理器１の天板を兼ねている。フィルム２１ａは、トッププレート５の背面かつ液晶パネル２３の表面に設けられ、赤色を帯びた黒色に着色されている。トッププレート５がクリア板に相当し、フィルム２１ａが着色層に相当する。
【００２４】
液晶パネル２３は、トッププレート５及びフィルム２１ａの背面に設けられ、加熱調理器１の動作情報や、設定入力スイッチにより設定された加熱条件を表示する。集光シート２５は、バックライトユニット２９が照射する光を集め、フィルム２１ａに対して照射する。拡散シート２７は、バックライトユニット２９が照射する光を拡散し、集光シート２５に対して照射する。
【００２５】
バックライトユニット２９は拡散シート２７の背面に設けられたエッジライト方式のものである。このバックライトユニット２９は、図３に示すように、導光板２９ａと、導光板２９ａの一縁に設けられた保持部２９ｂとを有している。保持部２９ｂには、導光板２９ａに向けて光を照射可能な第１ＬＥＤ２９ｃ及び第２ＬＥＤ２９ｄが保持されている。第１ＬＥＤ２９ｃと第２ＬＥＤ２９ｄとは、それぞれ複数個が互い違いに一列に配置されている。市販のバックライトユニットでは複数個の第１ＬＥＤ２９ｃだけが保持部に設けられているが、このバックライトユニット２９では、複数個の第２ＬＥＤ２９ｄが追加されている。保持部２９ｂにはコネクタ２９ｅも設けられており、コネクタ２９ｅを図示しない制御装置及び電源に接続することにより、第１ＬＥＤ２９ｃ及び第２ＬＥＤ２９ｄが点灯するようになっている。
【００２６】
各第１ＬＥＤ２９ｃは通電によって可視波長域の光を照射可能である。各第１ＬＥＤ２９ｃが第１光源に相当する。各第２ＬＥＤ２９ｄは通電によって特定波長４２０〜４８０ｎｍの特定光である青色に発光する。各第２ＬＥＤ２９ｄが第２光源に相当する。
【００２７】
この液晶表示装置１１では、透光板２１がフィルム２１ａによって赤色を帯びた黒色に着色され、各第１ＬＥＤ２９ｃの消灯時に液晶パネル２３の表示を隠蔽できる。このため、加熱調理器１の操作者は、液晶パネル２３の表示がトッププレート５上に現われていなければ、主電源がＯＦＦとされていることを確認でき、液晶パネル２３の表示がトッププレート５上に現われておれば、主電源がＯＮとされていることを確認できる。
【００２８】
また、この液晶表示装置１１では、バックライトユニット２９が第１ＬＥＤ２９ｃだけでなく、第２ＬＥＤ２９ｄも有することから、青色を青色以外の光よりも強く照射する。このため、フィルム２１ａの色彩によって４２０〜４８０ｎｍの青色の特定光が吸収されても、その特定光が第２ＬＥＤ２９ｄの発光によって補われ、トッププレート５上に現われる表示が自然な色調となる。
【００２９】
しかも、この液晶表示装置１１では、透光板２１に光学フィルタを設けるようなことはしないため、表示が暗くなることもない。バックライトユニット２９は、通常の第１ＬＥＤ２９ｃの他に複数個の第２ＬＥＤ２９ｄを追加したものではあるが、各第２ＬＥＤ２９ｄの追加では、ほとんど消費電力が上がることはなく、発熱対策を行なう必要もない。
【００３０】
この液晶表示装置１１における波長と分光放射輝度（Ｗ／Ｓｒ／ｍ2）との関係を図４に示す。一方、市販のバックライトユニットを用い、他の構成は実施例１の液晶表示装置１１と同様とした比較例の液晶表示装置を用意した。この比較例の液晶表示装置における波長と分光放射輝度との関係を図５に示す。図４及び図５において、Ａ線が光学フィルタや透光板を介さない液晶パネル２３における関係を示し、Ｂ線は、透光板２１に光学フィルタを設けただけの従来技術の場合の関係を示している。Ｃ１線は実施例１の液晶表示装置における関係を示し、Ｃ２線は比較例の液晶表示装置における関係を示している。
【００３１】
図５に示すように、Ａ線とＣ２線との相違から、フィルム２１ａの色彩によって４２０〜４８０ｎｍの青色の特定光が吸収されていることがわかる。しかしながら、実施例１の液晶表示装置１１では、図４のＣ１線で示されるように、その特定光が第２ＬＥＤ２９ｄの発光によって補われていることがわかる。一方、比較例の液晶表示装置では、図５のＣ２線で示されるように、その特定光は何ら補われておらず、表示が自然の色彩にはなっていないことがわかる。また、従来技術の場合、Ｂ線で示されるように、全ての波長を平均化しているが、全体的に暗くなっていることがわかる。
【００３２】
したがって、実施例１の液晶表示装置１１では、ランニングコストや製品単価の上昇を生じず、透光板２１上に現われる表示が自然な色調となることがわかる。また、実施例１の加熱調理器１では、液晶表示装置１１の作用効果によって操作者の使い勝手が向上することがわかる。
【００３３】
また、この加熱調理器１では、透光板２１が無色透明なトッププレート５とフィルム２１ａとからなるため、透光板２１に容易に色彩を着色することができる。また、この加熱調理器１では、トッププレート５における液晶パネル２３の表面だけにフィルム２１ａを設け、他の部分と異なる色彩としているため、液晶パネル２３の表示を目立たせることができる。
【００３４】
（実施例２）
実施例２の加熱調理器１及びその液晶表示装置１２は、図６に示すように、トッププレート６だけを透光板２１としている。トッププレート６は有色透明であり、透光板２１が実施例１のようなフィルム２１ａを有さない。他の作用効果は実施例１と同様である。
【００３５】
この加熱調理器１及びその液晶表示装置１２においても、実施例１と同様の作用効果を奏することができる。このため、クリア板は無色透明に限定されず、有色透明であってもよい。
【００３６】
以上において、本発明を実施例１、２に即して説明したが、本発明は上記実施例１、２に制限されるものではなく、その趣旨を逸脱しない範囲で適宜変更して適用できることはいうまでもない。
【００３７】
例えば、上記実施例１、２では、加熱調理器１に液晶表示装置１１、１２を設けたが、他の装置に液晶表示装置１１、１２を設けることができることはいうまでもない。また、加熱調理器１に液晶表示装置１１、１２を設ける場合でも、加熱調理器１の透光板２１がトッププレート５とは別体であってもよい。また、フィルム２１ａ等の着色層も赤色を帯びた黒色以外の色彩で着色され得る。実施例１、２では、透光板２１やフィルム２１ａが赤色を帯びた黒色として、特定波長が４２０〜４８０ｎｍの第２ＬＥＤ２９ｄを追加したが、第２ＬＥＤ２９ｄは透光板２１やフィルム２１ａ等の着色層の色彩に応じて適宜変更され得る。バックライトユニット２９はエッジライト方式に限定されず、直下方式のものであってもよい。実施例１、２では、第１光源が可視波長域の光を照射し、第２光源で特定光を照射しているが、第１光源が可視波長域の光を照射する際に、特定光を特定光以外の光よりも強く照射するようにしてもよい。
【産業上の利用可能性】
【００３８】
本発明は、液晶表示装置を用いた種々の装置に利用可能である。
【符号の説明】
【００３９】
２１…透光板
２３…液晶パネル
２９ｃ…第１光源（第１ＬＥＤ）
２９…バックライトユニット
１１、１２…液晶表示装置
２９ｄ…第２光源（第２ＬＥＤ）
５、６…クリア板（トッププレート）
２１ａ…着色層（フィルム）
１…加熱調理器
【図１】
2020148975.tif 000003
【図２】
2020148975.tif 000004
【図３】
2020148975.tif 000005
【図４】
2020148975.tif 000006
【図５】
2020148975.tif 000007
【図６】
2020148975.tif 000008